(57)【特許請求の範囲】
【請求項１】
出入口の間口方向に移動可能な引戸を有し、前記引戸の移動により前記出入口を開閉するエレベータドア装置であって、
前記引戸の前後に回転可能に軸支したローラを備え、その外側をエンドレスの覆い幕で囲んだドア装置において、前記ローラのうち少なくとも１つを表面に高分子材をモールドまたは貼り付けた摺動枠に置き換え、その摺動枠を戸先端側に配置したことを特徴とするエレベータドア装置。
【請求項２】
前記引戸のローラを回転可能に軸支した軸受け金具または摺動枠をバネ支持し前記覆い幕に張力を与えるテンション装置を設けたことを特徴とする請求項１に記載のエレベータのドア装置。
【請求項３】
前記テンション装置を引戸の先端側に配置して前記ローラまたは前記摺動枠の背後に検出スイッチを備え接触棒式安全装置としたことを特徴とする請求項２に記載のエレベータドア装置。
【発明の詳細な説明】
【技術分野】
【０００１】
この発明は、かご出入口や乗り場出入口を開閉するエレベータのドア装置に関する。
【背景技術】
【０００２】
従来、引戸と出入口柱との間に、物または人の手などが引き込まれることを防止するエレベータのドア装置として、引戸を覆う引戸覆い幕を備えたエレベータのドア装置が知られている。引戸覆い幕は、かご出入口の間口方向外側でかごに対して固定された固定部を有し、固定部から引戸の表面を覆って巻き取り装置に至っている。引戸覆い幕は、引戸の戸開動作時に巻き取り装置により巻き取られ、引戸の戸閉動作時に巻き取り装置から繰り出されるようになっている（例えば、特許文献１参照）。
また戸の前後に回転可能なローラを備え、ローラの外側をエンドレスの覆い幕で囲ったドア装置もあった。
さらに一般にドア装置には戸閉時に戸先端に障害物や人に触れたり、戸と出入口柱とに挟まれないように接触棒式の安全装置を備えエレベータの安全性を高めている（例えば、特許文献２、３参照）。
【先行技術文献】
【特許文献】
【０００３】
【特許文献１】特開２００４−３２３１５６号公報
【特許文献２】特開平７−２６７５４８号公報
【特許文献３】特開平９−１６５１７５号公報
【発明の概要】
【発明が解決しようとする課題】
【０００４】
しかしながら、従来のドア装置では覆い幕を戸開閉毎に巻き戻し、巻き付けを繰り返すため覆い幕の寿命が短くなる、またローラを介してエンドレスの覆い幕で囲ったドア装置では覆い幕が経年変化して伸びると戸から外れる惧があった。
さらにローラに覆い幕を被せた戸は戸先端の中間高さ部の強度が弱いといった傾向があった。 
また従来のドア装置は一般的に戸先端の外側に平行に配置した接触棒式安全装置がありその取付けスペースが必要で、特に小型のエレベータにおいてはスペースに余裕がなく配置が困難であるといった問題があった。
【０００５】
この発明は、前記のような課題を解決するためになされたものであり、前記覆い幕を張る戸の前後のローラの内少なくとも一つを摺動枠にしたこと、またローラの軸または摺動枠をバネ支持し覆い幕のテンション装置としたものである。
【課題を解決するための手段】
【０００６】
この発明に係るエレベータのドア装置の覆い幕は戸の前後に（前後とは長手方向の戸の先端と後端のことである）回転可能なローラを備えエンドレス状の覆い幕で前記戸の前後のローラ間の外側を囲んで戸と出入り口枠の隙間に物が挟まれようとする場合に出入り口枠にさえぎられ覆い幕がローラと共に回転して逃がすものにおいて、前記ローラの内少なくとも一つを表面に摩擦係数の少ない高分子材をモールド又は張り付けた断面コの字型の摺動枠にしたこと、またローラ軸または摺動枠をバネ支持し覆い幕のテンション装置としたものである。このバネ支持したローラまたは摺動枠を戸の先端側に配置しそのローラまたは摺動枠の背後に検出スイッチを追加することで接触棒式安全装置とした。
【発明の効果】
【０００７】
覆い幕を張るローラの内戸先端側を摺動枠にすることで戸の高さの中央付近の強度を上げることができるため戸に物や人等が当たっても弱く頼りないといったことはない、また覆い幕が経年変化で伸びても前記テンション装置でピンと張ることができ、確実に引き込まれを防止することができ、覆い幕がローラから外れる惧はない。
また覆い幕のテンション装置に検出スイッチを追加することで従来の接触棒式安全装置が構成できるので、従来のように戸の外側に平行に配置する接触棒式安全装置が要らないので余分の取付けスペースが不要で装置全体をコンパクトにまとめることができ、しかも安価に提供することができる。
【図面の簡単な説明】
【０００８】
【図１】この発明の実施形態１のかご室内からみ見たかご室出入口部分の正面図。
【図２】図１のかごの戸部分の平面の断面図。
【図３】図２のかごの戸部分の斜視図。
【図４】図３のかごの戸部分の平面の断面図。
【図５】図４のかごの戸正面図。
【図６】図４のかごの戸部分拡大斜視図。
【図７】この発明の実施形態２のかごの戸の平面の断面図。
【図８】図７のかごの戸部分拡大斜視図。
【図９】この発明の実施形態３のかごの戸で（１）が平面の断面図、（２）は戸先端の摺動枠部の詳細図。
【図１０】図９のかごの戸正面図。
【図１１】図１０のかごの戸部分拡大斜視図。
【図１２】この発明の実施形態４のかごの戸の斜視図で（１）が実施形態１の戸に適用した図、（２）は実施形態２の戸に適用した図、（３）は実施形態３の戸に適用した図。
【図１３】この発明の実施形態５のかごの戸の斜視で（１）が実施形態１の戸に適用した図、（２）は実施形態２の戸に適用した図、（３）は実施形態３の戸に適用した図。
【発明を実施するための形態】
【０００９】
以下、この発明の各実施の形態を図に基づいて説明するが、各図において、同一または相当の部材、部位については、同一符合を付して説明する。
実施の形態１．
図１はこの発明の実施形態１のかご室内からみ見たかご室出入口部分の正面図、図２は図１のかごの戸部分の平面の断面図、図３は図２のかごの戸部分の斜視図、図４は図３のかごの戸の平面の断面図、図５は図４のかごの戸正面図、図６は図４のかごの戸部分拡大斜視図である。
【００１０】
図において、昇降路（図示せず）を昇降するエレベータかご１はかご枠（図示せず）の床４に載せている。かご１の出入口２には戸閉装置（図示せず）の戸のレール７ｄにかごの戸５がハンガーローラ７ａを介して吊られガイドされる。また戸の下端は敷居４ａの案内溝４ｂにシュー５ｎが嵌りガイドされて駆動モータ（図示せず）により出入口２を開閉している。
【００１１】
かご１には壁１ｂと天井１ｃがあり、袖壁１ｄに操作盤１ａが備えられている。
【００１２】
本発明のかごの戸５は戸の前後に回転可能に軸支されたローラ５ｃが備えられてそのローラ５ｃ間の外側をエンドレスの覆い幕６で囲んでいる。覆い幕６は何処にも係止されていなく覆い幕に水平方向の外力が作用すればローラ５ｃと共に回動することができる。
【００１３】
前記前後のローラ５ｃの内、戸の先端側に配置されたローラはローラの軸６aをスライド可動な軸受け５ｆで軸支され、軸受け金具の両側をガイド５ｋに挟まれスライドできる。軸受け金具の後端をバネ５ｈで支持され覆い幕６にテンションを与えるテンション装置としている。
また図５に示すように上下に検出スイッチ６ｂを備えローラ５ｃにスイッチ６ｂの検出棒６ｃを当てている。
【００１４】
戸開動作中に戸に手や異物を触れていると出入り口柱に当たりその反力により戸の表面の覆い幕がローラと共に反戸開方向に逃げる。
【００１５】
一方戸閉中に戸の先端に物や人等が当たると覆い幕６を介してテンション側ローラ５ｃが押されるとローラが検出スイッチの検出棒を押す、バネ５ｈが一定値収縮されると検出安全スイッチが入り、戸を反転させることで接触棒式安全装置として作用させることができる。
検出スイッチの検出棒はローラに当てたが、軸受け金具の後端にスイッチの検出棒を直接当てる方法でもよい。
【００１６】
テンション装置により覆い幕を常にピンと張ることができ覆い幕の経年変化による伸びも吸収できローラから外れる惧もなくなり、見栄えもよく、確実に引き込まれを防止することができる。またテンション装置があることから覆い幕を薄板のスチール製とすることも可能である、覆い幕をスチール製にした場合には戸の前後のローラをバネ支持するのが望ましい。（戸先端の接触棒式安全装置に物や人が当たりローラが押されたときスチール製の覆い幕が緩むため、背後のローラをバネ支持し覆い幕が外れないように作用させる）
【００１７】
また覆い幕のテンション装置に検出スイッチを追加することで従来の接触棒式安全装置が構成できるので、従来のように戸の外側に平行に配置する接触棒式安全装置が要らないので余分の取り付けスペースが不要で装置全体をコンパクトにまとめることができ、しかも安価に提供することができる。
【００１８】
実施の形態２．
図７はこの発明の実施形態２のかごの戸の平面の断面図、図８は図７のかごの戸部分拡大斜視図である。
本例では実施の形態１の戸先端はローラにより断面が丸いが一般の戸は隔が角なので違和感のあるのを嫌う人がある。そこで違和感を低減するため戸の前側の見える部分（戸の先端部）のみ径の小さいローラを両隅に配置したものである。
この場合径の小さいローラを図のように２個一体の軸受け金具８で軸支しガイド５ｋでガイドしバネ５ｈで支持する。また実施の形態１と同じようにローラの上下に検出スイッチ６ｃを配置しスイッチの検出棒６ｃをローラに当てる。ローラは２個一体に軸支されているので片側のローラに検出スイッチを当てればよい。
【００１９】
これにより戸の先端の乗客から見える部分は角に近い形状となるため違和感がなくなる、しかも実施の形態１と同様の効果を得ることができる。
【００２０】
実施の形態３．
図９はこの発明の実施形態３のかごの戸で（１）が平面の断面図、（２）は戸先端の摺動枠部の詳細図。
１０は図９のかごの戸正面図、図１１は図１０のかごの戸部分拡大斜視図である。
【００２１】
前記実施の形態１、２では戸の前後に覆い幕を支持するローラを複数設けたが、実施の形態３では戸先端側のみ表面に摩擦係数の少ない高分子材１２ｃをモールドまたは貼り付けた略コの字形状の摺動枠１２で覆い幕６を摺動支持したものである。
【００２２】
前記コの字形状の摺動枠１２の上下２箇所に角パイプ状のガイド体１２ａを備えその外側をガイド穴１２ｂで支持し、ガイド穴の奥にガイド体の後端に当てるバネ５ｈと検出スイッチ６ｂの検出棒６Ｃを配置した。
【００２３】
前記実施の形態１，２では戸先端がローラ支持なので上下の軸受けからスパンが大きく中央はたわみ易く弱いので手触りの感触が頼りなかったが、本実施の形態３では戸先端部分に鋼製の摺動枠１２が覆い幕の中にあるため感触が一般のスチール製の戸に近い感触が得られる。
また前記実施の形態１、２と同様の効果も得ることができる。
【００２４】
実施の形態４．
図１２はこの発明の実施形態４のかごの戸の斜視図である（１）が実施形態１の戸に適用した図、（２）は実施形態２の戸に適用した図、（３）は実施形態３の戸に適用した図である。
表面の覆い幕に透過性の材料を採用し表面に模様や絵柄、または文字を入れて戸本体やローラ内部に光源（図示せず）を入れ発光させたものである。
覆い幕を透過性の材料にしなく単に模様や絵柄、または文字を入れるだけでもよい。
【００２５】
これにより絵柄を楽しめる、また照明により絵柄を浮き出させるといった効果が得られる、また前記実施の形態１から３と同様な効果も得ることができる。
【００２６】
実施の形態５．
図１３はこの発明の実施形態５のかごの戸の斜視図で（１）が実施形態１の戸に適用した図、（２）は実施形態２の戸に適用した図、（３）は実施形態３の戸に適用した図である。
【００２７】
表面の覆い幕を透過性の材料を採用し先端のローラ内部または摺動枠に光源（図示せず）を入れ戸閉時に先端部分を光らせる、または点滅させ戸に挟まれないように乗客に注意を喚起でき戸に衝突、挟まれを防止できる。
【００２８】
以上実施の形態１から５においてはかごの戸で二枚戸片開き式の戸装置に本発明を採用した例を示したが、その他の一枚戸、二枚戸中央開き戸、三枚戸片開き戸、４枚戸中央開き戸などあらゆる戸方式に同様にして採用できる。また乗り場の戸にも採用できるのはいうまでもない。
さらに戸先端のテンション装置に検出スイッチを追加して接触棒式戸安全装置としたが高速の戸だけではなく低速の戸にも採用して安全性を高めることができる。
また覆い幕の高さを戸の高さ全高を覆うようにすることもできる。また工場などでエレベータ使用者を限定できるところでは大人の手の届く高さのみに小さくすることも可能である。
【符号の説明】
【００２９】
１      かご
１ａ    操作盤
１ｂ    かご室壁
１ｃ    かご室天井
１ｄ    袖壁
２      出入り口
３ａ    戸袋柱
３ｂ    戸当り柱
４      かご床
４ａ    敷居
４ｂ    敷居溝
５      かごの戸本体
５ａ    戸の上部パネル
５ｂ    戸の下部パネル
５ｃ    ロ−ラ
５ｄ    軸受け金具
５ｅ    ボルト
５ｆ    可動軸受け金具
５ｇ    長穴
５ｈ    バネ
５ｊ    外れ止めボルト
５ｋ    ガイド枠
５ｎ    戸の脚（シュー）
６      覆い幕
６ａ    軸
６ｂ    検出スイッチ
６ｃ    検出棒
７      ドアーハンガー
７ａ    ハンガーローラ
７ｂ    アツプスラストローラ
７ｃ    ボルト
８      可動軸受け金具
９      ローラ
９ａ    軸
１０    かごの戸本体
１０ａ  戸の上部パネル
１１    かごの戸本体
１１ａ  戸の上部パネル
１１ｂ  戸の下部パネル
１２    摺動枠
１２ａ  ガイド枠
１２ｂ  ガイド溝
１２ｃ  高分子材
１３    覆い幕
１４    覆い幕
【図１】
0005517207.tif 000002
【図２】
0005517207.tif 000003
【図３】
0005517207.tif 000004
【図４】
0005517207.tif 000005
【図５】
0005517207.tif 000006
【図６】
0005517207.tif 000007
【図７】
0005517207.tif 000008
【図８】
0005517207.tif 000009
【図９】
0005517207.tif 000010
【図１０】
0005517207.tif 000011
【図１１】
0005517207.tif 000012
【図１２】
0005517207.tif 000013
【図１３】
0005517207.tif 000014